(57)【要約】      （修正有）【課題】  中折れ者の勃起維持サポート、包茎改善用などに利用できる自己粘着スポンジの結束具を提供する。【解決手段】厚み３ミリ以下の自己粘着スポンジのシートで粘着部分を重ね、これを幅１０センチ以下で、長さが幅の５倍以上に切断したことを特徴とする自己粘着スポンジ結束具で人体に薬用シート、コンドーム等を固定する結束具。【選択図】  図１
2006188568.tif 000002
【特許請求の範囲】
【請求項１】
幅１０センチ以下で、長さが幅の５倍以上、厚みが３ミリ以下である自己粘着スポンジからなることを特徴とする自己粘着スポンジ結束具。
【請求項２】
厚み３ミリ以下の自己粘着スポンジのシ−トで粘着部分を重ね、これを幅１０センチ以下で、長さが幅の５倍以上に切断したことを特徴とする自己粘着スポンジ結束具。
【請求項３】
コンドーム脱落防止用、包茎の皮を剥いて固定用、ＥＤサポ−ト用等から選択される特許請求の範囲記載の請求項１、請求項２に係わることを特徴とする自己粘着スポンジ結束具。
【請求項４】
トルマリンシート、薬用植物シート、突起シート、小型バイブレータなどの人体刺激具等を足の裏等につけるための特許請求の範囲記載の請求項１、請求項２に係わることを特徴とする自己粘着スポンジ結束具。
【請求項５】
自己粘着スポンジに螢光インク等を加工したことを特徴とする暗闇で光る特許請求の範囲記載の請求項１、請求項２に係わることを特徴とする自己粘着スポンジ結束具。
【請求項６】
幅１０センチ以下で、長さが幅の５倍以上、厚みが３ミリ以下である自己粘着スポンジの片面に両面粘着テープをが貼ってあることを特徴とする自己粘着スポンジ結束具。
【請求項７】
幅１０センチ以下で、長さが幅の５倍以上、厚みが３ミリ以下である自己粘着スポンジに多数の孔を設けたことを特徴とする自己粘着スポンジ結束具。
【請求項８】
コンドームと自己粘着スポンジの組み合わせ。
【請求項９】
厚み３ミリ以下の自己粘着スポンジのシ−トで粘着部分を重ね、打ち抜きまたは切断したことを特徴とする自己粘着スポンジの小片。
【発明の詳細な説明】
【技術分野】
【０００１】  本発明はアクリルスポンジなどの自己粘着スポンジに関する。詳しくは自己粘着スポンジを利用したコンドーム結束具および人体にあてる健康材の結束具に関する。
【背景技術】
【０００２】  近年、粘着成分で発泡したシートが登場した。いわゆる自己粘着シートである。粘着剤そのものを発泡させ、粘着剥離を繰り返せるスポンジやシートにできる。
アクリル系や塩化ビニル系やエポキシ系などの樹脂スポンジが多数開発されている。【０００３】  アクリルスポンジが代表的な自己粘着体である。このスポンジは粘着保持できるので壁面にテッシュ取付や、メモ貼りなどに利用する。油取り紙の束から１枚１枚取るときの取り具にもなる。アクリルスポンジは挟みで切り取りができる。紙やビニルなどに何回も貼ったり剥がせたりできる。吸盤の代用として自動車のアルミシート日除けを硝子に貼るのにも利用できる。【０００４】  テッシュボックスを壁面に貼る用具やなど多くの用途が見いだされる。テッシュボックスは約２５０グラムあり、テッシュボックサイズの面積でこの重量を粘着しテッシュを取り出せる。スポンジは何回も粘着剥離を繰り返せるのでテッシュボックスが空になれば交換すればよい。【０００５】  自己粘着スポンジはガラス、金属、セラミック、木材、プラスチック、合成皮革などの平滑な面に接着や粘着剤を使用せずに貼着できるものである。表面が汚れたら水で汚れを洗えば回復する。本発明者は以上の性質を鋭意研究をし多数の用途を見いだした。
アクリルスポンジに粘着テープを貼り、これを毛皮の裏に貼ればブーツやソファやバッグに着脱自由な毛皮になる。
カーテンにに貼れば車両などのガラス貼れるカーテンになる。壁面にはれば壁面に硬貨を収容できる。壁面全体にはればポケットテッシュ、カード、袋入りサプリメント、物差し、筆記具などを貼着収容できる。
毛皮片を接合する方法としても発明した。自己粘着スポンジとプラスチックフイルムと組み合わせれば縫製しなくとも毛皮巻物や服になる。又自由に剥がせて変えられる。
毛皮片の裏にプラスチックフイルムを貼り、これを当該スポンジで接合すればよい。【０００６】
【特許文献１】（コンドーム  脱落防止）  特許公開２０００−８３９８４  脱落防止装置付コンドーム  特許公開２００３−１３５５０１  男性機能補助リング  特許公開２００３−７０８２１  性感染症予防用コンドーム補助具  登録実用新案第３０５３３３１  コンドーム脱落防止リング
【特許文献２】（包茎矯正  リング）  特許公開２００４−１７４１９５  自分で製作とサイズ調整ができる包茎矯正リング  特許公開２００４−８１２２９  男性器装着リング  特許公開２００４−９７７３１  包茎矯正二重リング  登録実用新案第３１０２２６４  仮性包茎矯正具
【特許文献３】（コンドーム  螢光）  実用新案公開平６−２９５１７  光るコンドーム  特許公開平７−１００１６０  着色コンドーム
【特許文献４】（コンドーム関係突起）  特許公開平７−２５０８５８  高感度コンドームシステム  特許公開平１０−１６５４３３  コンドーム装着用リング  登録実用新案第３０５３３３１  コンドーム脱落防止リング
【特許文献５】（ツボ刺激  健康）  特許公開２００２−３１５８１０  ツボ刺激健康器具  特許公開２００２−１１３０６９  足のつぼ刺激板  登録実用新案第３１０２１４１０  健康用具  特許公開２００２−３２０６５７  会陰のツボ刺激用具  登録実用新案第３００９９９  健康指輪
【特許文献６】（男性機能向上  バイブレータ）  特許公開平１０−２４８８９２  着用式バイブレータ  特許公開２００３−１３５５０１  男性機能補助リング
【発明の開示】
【発明が解決しようとする課題】
【０００７】  エイズなどの性感染症予防用にコンドームの用途が増えつつある。ピル服用すれば妊娠予防はコンドームは必要がないが、性感染症予防用にコンドームが必要である。
しかし、勃起はするが途中で萎えてしまう中折れの人もいる。特に中高年に勃起維持ができない人が多い。このために各種の根元締めつけ用リングが提案および市販されているがサイズや幅など調整ができない、取り外しも簡単でない。簡単に巻き付けられ、使用後は簡単に外せる弾性のバンドの結合具が求られる。
課題解決として自己粘着スポンジの結束具を提供する。【０００８】  包茎は余分な包皮をめくり、亀頭を出し固定するリングが提案および市販されているリングでない弾性のバンドで亀頭部や根元を締めつけれる発明が求められる。
課題解決として自己粘着スポンジの結束具を提供する。【０００９】  コンドームやコンドーム包装に粘着して螢光目印にできるものが求められる。
課題解決として暗闇で光る自己粘着スポンジを提供する。【００１０】    リングや板でなく粘着スポンジで突起を得る発明が求められる。またバイブレータを指や足の裏などに結束できるスポンジの発明が求められる。その他、片面に粘着固定できる機能、通気性向上などの自己粘着スポンジの結束具を提供する。
【課題を解決するための手段】
【００１１】  上記課題を解決するには下記の様にすればよい。
１  自己粘着スポンジからなる結束具。
２  厚み３ミリ以下の自己粘着スポンジのシ−トで粘着部分を重ね、これを幅１０センチ  以下で、長さが幅の５倍以上に切断した自己粘着スポンジ結束具。
３  コンドーム脱落防止用、包茎の皮を剥いて固定用、ＥＤサポ−ト用等から選択される  自己粘着スポンジ結束具。
４  トルマリンシート、薬用植物シート、突起シート、小型バイブレータなどの人体刺激  具等を足の裏等につけるための自己粘着スポンジ結束具。
５  自己粘着スポンジに螢光インク等を加工した自己粘着スポンジ結束具。
６  幅１０センチ以下で、長さが幅の５倍以上、厚みが３ミリ以下である自己粘着スポン  ジの片面に両面粘着テープをが貼った自己粘着スポンジ結束具。
７  幅１０センチ以下で、長さが幅の５倍以上、厚みが３ミリ以下である自己粘着スポン  ジに多数の孔を設けたことを特徴とする自己粘着スポンジ結束具。
８  コンドームと自己粘着スポンジの組み合わせ。または、陰茎や脚、腕など人体の突起部に被せるゴムと自己粘着スポンジの組み合わせる。
９  厚み３ミリ以下の自己粘着スポンジのシ−トで粘着部分を重ね、打ち抜きまたは切断  した自己粘着スポンジの小片。【００１２】  粘着成分で発泡したシートいわゆる自己粘着シートからテープまたは紐状の結束具を得る。シートは片面がＰＥＴ樹脂シートを剥離材として巻き取形で得られる。これを小さく巻きなおし切断してもよい。幅１０センチ以下で、長さが幅の５倍以上、厚みが３ミリ以下である自己粘着スポンジからなる自己粘着スポンジ結束具をえる。【００１３】  コンドームなどと組み合わせて販売するには一定長さで商品化が必要である。
図１のように、自己粘着スポンジのシ−トで粘着部分を重ね、切断し自己粘着スポンジ結束具。図１は粘着スポンジのシ−トで粘着部分を重ね細長く切断した自己粘着スポンジ結束具である。図１から図２のように開き、剥離テープをはがして使用する。【００１４】  図３は足の裏に巻き付けた説明図である。
トルマリンシート、薬用植物シート、突起シート、小型バイブレータなどの人体刺激具等を足の裏等につけ本発明の自己粘着スポンジ結束具で巻き付け結束する。テープ同士が粘着密着する。アクリルスポンジは皮膚刺激性も少ない。トルマリンシート、薬用植物シート、突起シート、小型バイブレ−タと組み合わせて販売するのがよい。また
上記記載の両面粘着テープをが貼ってあることを特徴とする自己粘着スポンジ結束具の両面粘着テープにトルマリンシート、薬用植物シート、突起シート、小型バイブレータなどの人体刺激具を粘着固定してもよい。図４、図５で説明。【００１５】  自己粘着スポンジに螢光インク印刷、螢光テープ貼り付け等ををすれば暗闇で光る。【００１６】  自己粘着スポンジは剥がせるのが特徴である。片面に両面粘着テープを貼ればこの面に薬効のある粉末を塗布、毛皮貼り付け、その他を粘着固定できる。【００１７】  自己粘着スポンジに多数の孔を設ければ、通気性を緩和した自己粘着スポンジ結束具となる。また孔にトルマリン粒、磁石粒などを填入できる。【００１８】  コンドームと自己粘着スポンジの組み合わせてもよい。
自己粘着スポンジはシートでもテ−プでもよい。シートは中央に孔をあけて性交渉の際に性器と性器周辺部との接触を防止できる。（特許公開２００３−７０８２１参照）またそのまま陰茎を包みさらにコンドームを被せ中折れ防止にもできる。はさみや手で紐状にして前述の如く結束具にもできる。シートと紐の自己粘着スポンジをコンドームと組み合わせてもよい。実施ではコンドームと組み合わせて商品化する。
【発明の効果】
【００１９】  請求項１記載の効果を述べる。自己粘着スポンジなので、縛らなくとも粘着で結束できる。また剥離できるので外しやすい。また粘着部に紙片やプラスチックなど粘着剥離ができる。輪ゴムのように結束するときに通す必要がない、巻き付けるだけでよい。伸び縮みがあるので輪ゴムのような引き締め結束ができ、包帯のように緩まないる。縛らなくとも結束できるので外しやすい。
スポンジであるので伸び縮みに弾性があり、かつ自己粘着なので密着しやすい、さらに剥離が自由にできる。今までにない結束効果がある。コンドームの脱落防止用具や包帯代用などに効果がある。【００２０】  粘着スポンジの代表的なアクリルスポンジは皮膚刺激性がないこともあり、人体局部に巻き付けできる。また中折れの際のコンドーム脱落防止などに利用できる。コンドーム健康法ではコンドームの中に美容液や生卵などをいれ局部を浸漬するが、液体がこぼれて周囲を汚すのを防止できるので長時間健康法を実施できる。結束と剥がしも簡単である。【００２１】  請求項２記載の効果を述べる。通常、粘着シートから紐やテープを作るにはシートを巻いてこれを切断する。芯材も切断するので高価な機械が必要となる。テープが嵩ばり、収納に不便である。本発明はシートを粘着部分を折りたたみ必要な幅で切断するので簡単な道具や機械で紐やテープをつくれる。テープは折りたたみができるので、小さくできる。他の商品の付属品などにする組み合わせの際によい。【００２２】  請求項３記載の効果を述べる。上記自己粘着スポンジ結束具は粘着剥離を繰り返す。陰茎をコンドームにいれ根元を結合し易い。自己粘着スポンジなので引き締め粘着で密着できる。端は隙間に差し込で外れない。ゴム輪やリングと異なり引き締め具合を調節でき、陰茎サイズは問わない。亀頭を剥き密着結束できるので包茎の自然改善も自分でできる。
陰茎に巻き付けも同様に簡単である。陰茎サイズは自由である。【００２３】  請求項４記載の効果を述べる。トルマリンシート、薬用植物シート、突起シート、小型バイブレータなどの人体刺激具等を足の裏等につける結束具となる。足の裏に使用例を図３に示す。足の裏に人体刺激具４をつけ本発明結束具で結束する。密着し緩み外れはない。【００２４】  請求項５記載の効果を述べる。粘着剥離を繰り返す、暗闇で光るスポンジになる。
紙、プラスチックなどの鏡体面に粘着剥離できる。看板や広告やその他の暗闇での目印などにもよい。  粘着剥離を何回もする、コンド−ム袋に貼る裏表区別の目印になる。【００２５】  請求項６記載の効果を述べる。片面に両面粘着テープをが貼ってあるのでこれに毛皮、金箔、トルマリン粉末、その他の粉末等を粘着できる自己粘着スポンジ結束具になる。【００２６】  請求項７記載の効果を述べる。孔にトルマリン粒など填込着できる。また、通気性を向上もできる【００２７】  請求項８記載の効果を述べる。コンドームを使用するときに自己粘着スポンジが結束具になる。また人体突起部に液体やゼリー状の栄養、薬などを長時間塗布や漬けて置くときにゴムなどを被せる。このゴム口を結束するのによい。巻き付け密着結束できる。【００２８】  通常は両面に剥離材を密着しこれを打ち抜きまたは切断してテッシュボックスを壁面に取りつける小片やメモ貼り小片にしている。  自己粘着スポンジのシ−トで粘着部分を重ね、打ち抜きまたは切断して得られる自己粘着スポンジの小片は剥離材片面を省略できる。
【発明を実施するとめの最良の形態】
【００２９】  アクリルスポンジ１から２ミリ厚みで、幅１メートル、５０メートル巻きシートのロールを利用する。アクリルスポンジの片面は剥離材で密着されている。
これから４０センチ引き出し粘着面を重ねてロールから切りだす。このもの１〜１０センチ幅で帯状に切る。すると１〜１０センチ幅の２０センチ（使用の際は４０センチ）のテープを得られる。図１、図２を参照。
【産業上の利用可能性】
【００３０】  本発明は各種の結束具など産業上利用できる。
【図面の簡単な説明】
【００３１】
【図１】・・側面図（実施例１）
【図２】・・側面図（実施例１）
【図３】・・説明図（足の裏取付）
【図４】・・斜視図
【図５】・・側面図（両面粘着テープ貼り付け実施例）
【符号の説明】
【００３２】    １・・アクリルスポンジ
２・・はくり材
３・・本発明結束具
４・・刺激具
５・・トルマリン粉末など
６・・両面粘着テープ
【図１】
2006188568.tif 000003
【図２】
2006188568.tif 000004
【図３】
2006188568.tif 000005
【図４】
2006188568.tif 000006
【図５】
2006188568.tif 000007